(57)【要約】　　　（修正有）【課題】操作部材のバネ付勢を省スペース及びローコスト、更に信頼性高く行なうことができるレンズ付きフィルムユニットを提供する。【解決手段】減光レバー６８の回動中心部分に捩じりバネ７２を取り付け、減光レバー６８を図中時計方向、すなわち減光部材１９をストロボ発光部７の前方から退避させて、ユニット本体３内に収納する方向に付勢する。減光レバー６８は、リフト片７７で減光用突起７５を押圧することで、減光用突起７５と一体に設けられた操作部材１５を第２撮影位置に向けて付勢する。操作部材１５が第２操作位置と第３操作位置との間の途中の位置で停止されることがなくなるため、撮影ミスを防止することができる。【選択図】　　　　図９
2004085621.tif 000002
【特許請求の範囲】
【請求項１】
絞りを大絞りと小絞りとの間で切り替える絞り切替手段と、シャッタスピードを高速と低速との間で切り換えるシャッタスピード切替手段とのいずれか一方または両方と、ストロボ発光量を通常発光と減光発光との間で切り換えるストロボ光量切替手段と、初期位置と少なくとも一つの操作位置との間で移動自在とされ、各手段の各状態がそれぞれ組み合わされた複数の撮影モードの選択に用いられる操作部材とを備えたレンズ付きフイルムユニットにおいて、前記ストロボ光量切替手段を通常発光側に向けて付勢し、かつ該ストロボ光量切替手段を介して操作部材を初期位置に向けて付勢する付勢手段を設けたことを特徴とするレンズ付きフイルムユニット。
【発明の詳細な説明】
【０００１】
【発明の属する技術分野】
本発明は、複数の撮影モードを一つの操作部材で選択できるようにしたレンズ付きフイルムユニットに関し、更に詳しくは、操作部材を初期位置に向けてバネ付勢したレンズ付きフイルムユニットに関するものである。
【０００２】
【従来の技術】
製造時に写真フイルムが装填されたレンズ付きフイルムユニットが各種販売されている。初期のレンズ付きフイルムユニットは、絞りやシャッタ速度，焦点距離等が固定であった。しかし、適正な露出で撮影を行なうことができる撮影条件が狭かったため、より撮影条件の範囲が広く、高画質な撮影を行なうことのできるレンズ付きフイルムユニットが望まれていた。
【０００３】
上記要望に応えて、現在では、ストロボ撮影時に大絞りとなるレンズ付きフイルムユニット（特開２０００−３０５２２１号）や、絞りとシャッタ速度とストロボ光量とが切り換えられる複数の撮影モードを備えたレンズ付きフイルムユニット（特願２００２−１５１３２８号明細書）等が発明されている。また、この他にも、一つの操作部材の操作によって、焦点距離とストロボ光量とを切り替えて接写を可能にするレンズ付きフイルムユニット（商品名：「接写もできる写ルンです」）や、プリントサイズとファインダ視野との切り換えが可能なレンズ付きフイルムユニット（特開平１０−０３１２４９号）等が各種販売されている。
【０００４】
上述した複数の撮影モードを備えたレンズ付きフイルムユニットでは、ユーザーの誤使用防止と、切替機構の位置精度確保とのために、操作部材を初期位置にバネで付勢しておくことが一般的に行なわれている。例えば、特開２０００−３０５２２１号公報記載のレンズ付きフイルムユニットでは、絞り切替部材にバネをかけ、この絞り切替部材を介して、連動している操作部材にバネ付勢を与えている。
【０００５】
接写時に焦点距離とストロボ光量とが切り換えられるレンズ付きフイルムユニットでは、操作部材と、焦点距離を切り換える切替板と、ストロボ減光板とを一体に設け、切替板にトグルバネを取り付けることで、操作部材を初期位置に付勢している。また、特開平１０−０３１２４９号公報記載のレンズ付きフイルムユニットでは、操作部材と、回転式の視野枠切替板とが一体に設けられており、この視野枠切替板にトグルバネを取り付けて操作部材を初期位置に付勢している。
【０００６】
【発明が解決しようとする課題】
しかしながら、特開２０００−３０５２２１号公報記載のレンズ付きフイルムユニットでは、ユーザーが操作部材に指をかけている状態や、操作部材に砂等の異物が挟まったときに、操作部材が切替途中の位置で停止されると、絞り切替板も切替途中で停止されるため、適正な絞りが得られなくなり、撮影画質が悪化してしまう。また、絞り切替板の絞り穴の無い部分が撮影光軸上にある状態で撮影すると、何も写らないことがある。
【０００７】
また、接写可能なレンズ付きフイルムユニットや、特開平１０−０３１２４９号公報記載のレンズ付きフイルムユニットでは、操作部材の操作によって動く部品が大きく、トグルバネの動作スペースも必要となるため、厚み方向の寸法が大きくなってしまう。更に、特願２００２−１５１３２８号明細書記載のレンズ付きフイルムユニットは、３つの撮影モードを備えるとともに、操作部材の切替動作が、第１撮影モードと第２撮影モードとの間と、第２撮影モードと第３撮影モードとの間とで異なっているため、一定方向への移動によって切り換えを行なう機構は適用することができない。
【０００８】
本発明は、上記問題点を解決するためのもので、操作部材のバネ付勢を省スペース及びローコストで、信頼性高く行なうことを目的とする。
【０００９】
【課題を解決するための手段】
上記問題点を解決するために、本発明のレンズ付きフイルムユニットは、ストロボ光量切替手段を通常発光の状態となるように付勢し、かつ該ストロボ光量切替手段を介して操作部材を初期位置に向けて付勢する付勢手段を設けたものである。
【００１０】
【発明の実施の形態】
図１は、本発明を実施したレンズ付きフイルムユニットの外観形状を示す斜視図である。レンズ付きフイルムユニット２は、各種撮影機構が組み込まれたユニット本体３と、このユニット本体３の製造時に装填されたフイルムパトローネと、ユニット本体３の外周に巻き付けられるようにして貼付されるラベル４とからなる。ラベル４には、ユニット本体３の各部を露呈させるための開口が形成されている。
【００１１】
ユニット本体３の前面には、撮影レンズ５，ファインダ６，ストロボ発光部７，撮影モード選択部８等が設けられている。ユニット本体３の上面には、シャッタボタン９，カウンタ表示窓１０，シグナル用開口１１等が設けられている。ユニット本体３の背面からは、撮影後のフイルム巻き上げに用いられる巻上げノブ１２の一部が露呈されている。
【００１２】
撮影モード選択部８は、ユニット本体３の前面に形成された操作開口１４と、この操作開口１４内で移動自在とされた略小判形状の操作部材１５とからなる。操作部材１５は、操作開口１４内の下方に位置する第１操作位置と、図２に示すように、第１操作位置から上方に向けてスライドされた第２操作位置と、図３に示すように、第２操作位置から図中時計方向に回動される第３操作位置との間で移動自在とされている。
【００１３】
レンズ付きフイルムユニット２は、操作部材１５が第１操作位置にある際に、ストロボＯＦＦ及び小絞り及び高速シャッタの日中撮影モード（第１撮影モード）となる。また、操作部材１５が第２操作位置にある際には、ストロボＯＮ及び小絞り及び高速シャッタの日中シンクロ撮影モード（第２撮影モード）となる。この第２撮影モードでは、レンズ付きフイルムユニット２の上面からシグナル部材１７が突出される。このシグナル部材１７はライトガイドであり、ストロボ充電の完了時に発光する発光素子の光をユニット本体３外にガイドして、撮影準備が完了したことを知らせる。
【００１４】
操作部材１５が第３操作位置にある際には、ストロボＯＮ及び大絞り及び低速シャッタの夜間シンクロ撮影モード（第３撮影モード）となる。この第３撮影モードでは、ストロボ発光部７の前方に減光部材１９が配置され、ストロボ光量の減光が図られる。また、ファインダ６の前方には、円板状の指標板２０が配置される。この指標板２０は、ファインダ６内で視認されることにより、レンズ付きフイルムユニット２が第３撮影モードにあることを撮影者に知らせる。
【００１５】
図４は、ユニット本体３の構成を示す分解斜視図である。ユニット本体３は、１３５タイプのフイルムパトローネ２２が装填される本体基部２３と、この本体基部２３の前面側に取り付けられるストロボユニット２４と、撮影モードの切り替えを行う撮影モード切替機構２５と、本体基部２３の前面側及び背面側に取り付けられる前カバー２６及び後カバー２７とからなる。
【００１６】
ストロボユニット２４は、各種電気部品が取り付けられてストロボ回路が形成されたプリント基板２９と、放電管やリフレクタ，拡散板等からなるストロボ発光部７とから構成されている。また、プリント基板２９には、シャッタレリーズに連動してオンし、ストロボ発光を行わせるシンクロスイッチ３０と、撮影モード選択部８の操作部材１５の移動によってオン／オフされる充電スイッチを構成する金属接片３１と、電池３２をストロボ回路に接続する電池接片３３等が取り付けられている。
【００１７】
本体基部２３の前面中央には、遮光筒３５が設けられている。この遮光筒３５の周囲には、シャッタチャージ機構，シャッタレリーズ機構，フイルム巻上げ機構，フイルム巻止機構，フイルムカウント機構，絞り切替機構，シャッタ速度切替機構，撮影光学系，ファインダ光学系等が組み込まれている。
【００１８】
図５は、遮光筒３５の周囲に組み込まれたシャッタレリーズ機構，絞り切替機構，シャッタ速度切替機構，撮影光学系のうち、絞り切替機構とシャッタ速度切替機構とに関連する部品の構成を示した分解斜視図である。符号３７は、シャッタ羽根である。シャッタ羽根３７は、ピンに挿通されて揺動自在に保持される穴３７ａと、露光開口３８の前方に配置されて開閉を行う開閉部３７ｂと、バネ３９が掛けられるピン３７ｃと、シャッタ駆動レバーによって蹴飛ばされる突出部３７ｄと、ストロボユニット２４のシンクロスイッチ３０を動作させるシンクロ突起３７ｅとが設けられている。
【００１９】
シャッタ羽根３７は、バネ３９に付勢されて露光開口３８を塞ぐ閉じ位置に保持されている。シャッタボタン９が押下されると、図示しないシャッタ駆動レバーによって突出部３７ｄが図中左方から右方へと蹴飛ばされ、バネ３９の付勢に抗してシャッタ羽根３７が図中時計方向に回動する。これにより、露光開口３８が開放されて写真フイルムに撮影が行なわれる。
【００２０】
また、シャッタ羽根３７は、開き位置への回動時にシンクロ突起３７ｅでシンクロスイッチ３０の上部金属接片３０ａを押圧し、下部金属接片３０ｂに接触させる。一対の金属接片３０ａ，３０ｂが接触してシンクロスイッチ３０がＯＮすると、ストロボユニット２４の発光部７においてストロボ発光が行われる。
【００２１】
符号４１は、撮影レンズ５等を保持するレンズホルダである。レンズホルダ４１の前面には、撮影レンズ５や、大絞り開口が形成された絞り板等が収納される円筒形状の鏡筒４２と、くの字形状の絞り切替板４３を揺動自在に支持するピン４４とが設けられている。絞り切替板４３は、穴４３ａにピン４４が挿入されることにより、レンズホルダ４１の前面に揺動自在に保持され、鏡筒４２に形成された切欠部分から鏡筒４２内に挿脱される。そして、小絞り開口４７ｂを撮影光軸上に挿脱することで、絞りを切り替える。
【００２２】
レンズホルダ４１の上部には、シャッタ速度切替レバー４６を揺動自在に支持する軸４７が形成されている。シャッタ速度切替レバー４６は、軸４７に支持されるボス４８と、このボス４８の側面から突出されたアーム４９及び突出片５０と、アーム４９の先端に形成されたパッド５１とからなる。なお、図示していないが、レンズホルダ４１の前面には、撮影レンズ５や絞り切替板４３等を押さえるレンズ押さえ板が取り付けられる。
【００２３】
レンズホルダ４１の軸４７の先端には、一対の係止片５３が対称に形成されている。シャッタ速度切替レバー４６のボス４８には、係止片５３が挿入される一対の溝５４がやはり対称に形成されている。シャッタ速度切替レバー４６を軸４７に取り付ける際には、係止片５３と溝５４とが合致するように軸４７をボス４８に挿入し、係止片５３がボス４８の上部に達するまで挿入してからシャッタ速度切替レバー４６を僅かに回動させる。これにより、ボス４８の上面が係止片５３に押さえられるため、シャッタ速度切替レバー４６がレンズホルダ４１から不用意に外れることはない。
【００２４】
図６（Ａ）に示すように、シャッタ速度切替レバー４６は、パッド５１がシンクロスイッチ３０の下部金属接片３０ｂの自由端側の下方に挿入されて当接する高速シャッタ位置と、同図（Ｂ）に示すように、パッド５１を下部金属接片３０ｂの下方から退避させる低速シャッタ位置との間で回動される。
【００２５】
シャッタ速度切替レバー４６のパッド５１が高速シャッタ位置にある際にシャッタレリーズが行われると、シャッタ羽根３７のシンクロ突起３７ｅに押圧されたシンクロスイッチ３０の上部金属接片３０ａが下部金属接片３０ｂに接触し、ストロボ発光が行われる。下部金属接片３０ｂはパッド５１に当接するため、シャッタ羽根３７は途中で回動が阻止される。これにより、短時間でシャッタ羽根３７が閉じ位置に復帰する。この高速シャッタでは、例えば１／１２０秒のシャッタ速度を得ることができる。
【００２６】
上記とは逆に、シャッタ速度切替レバー４６のパッド５１が低速シャッタ位置にある際には、シャッタ羽根３７の開き位置への回動が大きくなる。これは、金属接片３０ｂの弾性変形が自由になるためである。その結果、シャッタ羽根３７が閉じ位置に復帰するまでの時間が長くなって、シャッタ速度が遅くなる。この低速シャッタでは、例えば１／４５秒のシャッタ速度を得ることができる。
【００２７】
レンズホルダ４１の鏡筒４２の外周には、切替リング５６が回動自在に嵌入される。切替リング５６には、バネ５７の一端が掛けられるバネ掛けピン５６ａと、シャッタ速度切替レバー４６の突出片５０が間に挟み込まれる一対の挟持ピン５６ｂ，５６ｃと、背面側に突出され、撮影モード切替機構２５によって押圧される従動ピン５６ｄとが設けられている。符号５６ｅは、絞り切替板４３の屈曲されたスリット４３ｃに挿入されるリンクピンである。
【００２８】
バネ５７の他端は、レンズホルダ４１の前面下部に形成されたピン５９に掛けられ、切替リング５６を図中時計方向に付勢する。なお、バネ５７によって付勢された切替リング５６は、絞り切替板４３によって初期位置に保持される。
【００２９】
符号６１は、操作部材１５が一体に形成された切替板である。この切替板６１には、水平方向に突出された押圧レバー６２が一体に形成されている。押圧レバー６２の先端には、押圧カム６３が設けられている。操作部材１５が第２操作位置から第３操作位置に回動すると、押圧カム６３が切替リング５６の従動ピン５６ｄを下方から押圧する。これにより、切替リング５６は図中反時計方向に回動される。
【００３０】
図７（Ａ）は、第２撮影モードにある際の切替リング５６の状態を示している。操作部材１５が第１操作位置及び第２操作位置にある際には、押圧レバー６２の押圧カム６３は切替リング５６の従動ピン５６ｄに接触しない。そのため、切替リング５６は初期位置に保持されている。
【００３１】
切替リング５６が初期位置にある際には、絞り切替板４３は鏡筒４２内に挿入されており、小絞り開口４３ｂが撮影光軸上に配置されて小絞り状態となる。この小絞り状態でのＦ値は、例えばＦ１４となる。また、一対の挟持ピン５６ｂ，５６ｃは、シャッタ速度切替レバー４６を高速シャッタ位置に保持している。
【００３２】
図７（Ｂ）に示すように、操作部材１５が第２操作位置から第３操作位置へと回動されると、押圧カム６３が従動ピン５６ｄを下方から押圧して切替リング５６を図中反時計方向に回動させる。この切替リング５６の回動により、リンクピン５６ｅにスリット４３ｃが押圧された絞り切替板４３は、図中時計方向に回動し、光軸上から退避して大絞り開口６４を光軸上に配置する。大絞り状態でのＦ値は、例えばＦ５．６となる。また、一対の挟持ピン５６ｂ，５６ｃはシャッタ速度切替レバー４６を回動させ、パッド５１を低速シャッタ位置にセットする。
【００３３】
絞り切替板４３のスリット４３ｃは、絞り切替板４３が小絞り位置にあるときに切替リング５６と同心となる円弧と、絞り切替板４３が大絞り位置にあるときに切替リング５６と同心となる円弧とが組み合わされた形状となっている。これにより、振動や衝撃，撮影者の操作ミス等によって切替リング５６が僅かに回動しても、絞り切替板４３は揺動することはないため、絞り切替板４３が中途半端な位置に停止されて撮影が行なわれることはない。
【００３４】
図８は、撮影モード切替機構２５の構成を示す分解斜視図である。撮影モード切替機構２５は、切替板６１と、軸受板６７と、スライド板６６と、受け板６５と、減光レバー６８と、減光板６９と、表示レバー７０とから構成されている。受け板６５は、ストロボユニット２４のプリント基板２９の前面に取り付けられ、スライド板６６と軸受板６７とを上下方向でスライド自在となるように保持する。
【００３５】
切替板６１の背面には、円環形状の回動ガイド６１ａと、スライド板６６をスライドさせる２本のスライドピン６１ｂ，６１ｃと、操作部材１５の回動時にクリック動作を行うクリックピン６１ｄと、操作部材１５の移動方向をガイドするガイドピン６１ｅと、減光レバー６８を動作させる減光用突起７５とが設けられている。２本のスライドピン６１ｂ，６１ｃは、回動ガイド６１ａの中に配置されている。
【００３６】
切替板６１は、回動ガイド６１ａが軸受板６７に形成された軸受開口６７ａに挿入されて回動自在に保持される。切替板６１とスライド板６６との間では、切替板６１のスライドピン６１ｂ，６１ｃが軸受板６７を貫通してスライド板６６のスリット６６ｂ，６６ｃに挿入されて連係している。
【００３７】
操作部材１５が第１操作位置から第２操作位置へとスライドされると、切替板６１と軸受板６７、切替板６１とスライド板６６との間の連係とによって、切替板６１と軸受板６７とスライド板６６とが一緒に上方にスライドする。操作部材１５が第２操作位置から第３操作位置へと回動されると、切替板６１のスライドピン６１ｃがスライド板６６を更に上方にスライドさせる。切替板６１のスライド及び回動軌跡は、ガイドピン６１ｅが受け板６５のガイドカム６５ｂに沿って移動することで安定する。
【００３８】
受け板６５と軸受板６７とには、上方にスライドされた軸受板６７をその位置で保持するクリックストップ機構が設けられている。このクリックストップ機構は、受け板６５に設けられた係止突起６５ａと、軸受板６７に設けられた弾性突起６７ｃとからなる。
【００３９】
切替板６１と軸受板６７とには、操作部材１５が第３操作位置に回動された際に切替板６１をその位置で保持し、かつ第２操作位置よりも上方にスライドされたスライド板６６をも保持するクリックストップ機構が設けられている。このクリックストップ機構は、切替板６１のクリックピン６１ｄと、軸受板６７の弾性突起６７ｄとからなる。
【００４０】
スライド板６６には、シグナル部材１７の係合ピン１７ａに係合する係合部６６ｅが設けられている。操作部材１５が第１操作位置にある際には、シグナル部材１７はユニット本体３内に収納されている。操作部材１５が第２操作位置に操作されると、シグナル部材１７はスライド板６６のスライドに連動してユニット本体３の上面から突出される。また、操作部材１５が第３操作位置に回動されると、スライド板６６が更に上方にスライドするため、同様にシグナル部材１７の突出量も大きくなる。
【００４１】
軸受板６７の背面には、操作部材１５が第２操作位置または第３操作位置にある時に、スライド板６６と受け板６５とを貫通して、ストロボユニット２４の充電スイッチの金属接片３１を押圧する押圧片６７ｅが設けられている。
【００４２】
受け板６５には、減光レバー６８と表示レバー７０とが回動自在に取り付けられるピン６５ｃ，６５ｄが設けられている。ピン６５ｃに取り付けられる減光レバー６８のボス６８ｄの外周には、捩じりバネ７２が取り付けられる。この捩じりバネ７２は、一端が減光レバー６８に他端が固定板６５に取り付けられて、減光レバー６８を図中時計方向、すなわち減光部材１９をユニット本体３内に収納する方向に付勢する。
【００４３】
減光板６９は、減光部材１９の下方に縦方向の長穴６９ａと横方向の長穴６９ｂとが形成されている。縦方向の長穴６９ａには、前カバー２６の前面内壁でストロボ発光部の下方に形成された複数本のピン２６ｂが挿入される。これにより、減光板６９は前カバー２６の内側において上下方向でスライド自在となる。横方向の長穴６９ｂには、減光レバー６８の先端６８ａに形成されたリンクピン６８ｂが挿入される。
【００４４】
図９に示すように、操作部材１５が第２操作位置にあるときには、減光用突起７５と、減光レバー６８のリフト片７７とが当接する。これにより、操作部材１５は、捩じりバネ７２の付勢によって第２操作位置に保持される。また、この第２操作位置では、リフト片７７の円形の当接部７７ａと、減光用突起７５の平坦なカム部７５ａとが当接しており、その圧力角αは小さい。そのため、操作部材１５を第３操作位置に向けて回動する際に必要な回動力も小さくなる。
【００４５】
図１０に示すように、減光レバー６８は、操作部材１５が第３操作位置に操作された時に、減光用突起７５でリフト片７７が押圧され、捩じりバネ７２の付勢に抗して図中反時計方向に回動する。その際に、リンクピン６８ｂで減光板６９を持ち上げ、減光部材１９をストロボ発光部７の前方に挿入する。表示レバー７０は、突起７０ａが減光レバー６８のリンク開口６８ｅに押圧されて時計方向に回動し、ファインダ６の前方に指標板２０を挿入する。
【００４６】
第２操作位置と第３操作位置との間では、絞りとシャッタ速度とが切り換えられる。そのため、振動や衝撃、操作ミスや異物等の詰まりによって、操作部材１５が第２操作位置と第３操作位置との間で停止してしまうと、適正な絞りが得られなくなり、撮影画質が悪化してしまう。また、絞り切替板４３の絞り穴の無い部分が撮影光上にある状態で撮影すると何も写らないことがある。同様に、シャッタ速度が不安定になったり、ストロボのシンクロミスが発生することもある。
【００４７】
そのため、本実施形態では、減光レバー６８を介して、捩じりバネ７２で切替板６１を第３操作位置から第２操作位置へと付勢している。これにより、操作部材１５の操作を第２操作位置と第３操作位置との間で取りやめても、減光レバー６８の押圧によって操作部材１５を第２操作位置に移動させることができる。
【００４８】
また、図１１に示すように、切替板６１と切替リング５６との連係は、操作部材１５が第２操作位置と第３操作位置との中間程度に達してから行なわれる。そのため、第２操作位置にある操作部材１５に指かかりが発生して切替板６１が僅かに回動しても、切替リング５６は回動しないので、絞りやシャッタ速度が変化することはない。減光レバー６８は、操作部材１５の第２操作位置への移動とともに切替板６１に連係するが、減光部材１９の位置が多少ずれてもストロボ発光部７の下方が僅かに隠れるだけなので、撮影画像に大きな悪影響はない。
【００４９】
更に、操作部材１５が第３操作位置に回動された後に、操作部材１５が僅かに回動しても、絞り切替板４３は、切替リング５６の僅かな回動に連動しないようにスリット４３ｃの形状が工夫されているので、絞りが変化することはない。また、減光部材１９の位置が多少ずれても、やはり撮影画像に大きな悪影響は及ぼさない。
【００５０】
また、上面からシグナル部材が突出される従来のレンズ付きフイルムユニットでは、シグナル部材をユニット本体内に押し込むことで、ストロボ充電スイッチをオフさせることができた。この操作は、減光レバー６８にバネ付勢を行なったことで、本実施形態のレンズ付きフイルムユニットにおいても可能となっている。
【００５１】
操作部材１５が第３操作位置にある状態で、シグナル部材１７をユニット本体に押し込むと、スライド板６６が下方にスライドされる。その際に、スライド板６６がスライドピン６１ｃを押圧して、切替板６１を第２操作位置に向けて僅かに回動させる。これにより、切替板６１と軸受板６７との間のクリックストップが解除され、切替板６１は減光レバー６８の付勢により、第２操作位置に回動する。その後、シグナル部材１７を更にユニット本体内に押し込むと、スライド板６６が軸受板６７と切替板６１とを下方にスライドさせ、操作部材１５を第１操作位置に移動させる。
【００５２】
なお、上記実施形態は、レンズ付きフイルムユニットを例に説明したが、レンズ付きフイルムユニットと類似した機構を有するカメラ等にも適用することができる。
【００５３】
【発明の効果】
以上説明したように、本発明のレンズ付きフイルムユニットによれば、操作部材が切り換え途中の位置で停止されることがないため、絞りやシャッタ速度の不安定による画質の悪化等の撮影ミスが発生することはない。また、ストロボ光量切替機構を付勢する付勢手段を用いて、操作部材を付勢するようにしたので、部品点数や組立工数を削減してコストダウンを図ることができる。更に、付勢手段の取付スペースや動作スペースも一つで済むため、小型化を図ることができる。
【図面の簡単な説明】
【図１】本発明を用いたレンズ付きフイルムユニットの日中撮影モードの状態を示す外観斜視図である。
【図２】レンズ付きフイルムユニットの日中シンクロ撮影モードの状態を示す外観斜視図である。
【図３】レンズ付きフイルムユニットの夜間シンクロ撮影モードの状態を示す外観斜視図である。
【図４】ユニット本体の構成を示す分解斜視図である。
【図５】絞り切替機構及びシャッタ速度切替機構の構成を示す分解斜視図である。
【図６】シャッタ速度切替レバーの切替位置を示す説明図である。
【図７】絞り及びシャッタ速度切替機構の日中シンクロ撮影モードと夜間シンクロ撮影モードとを示す説明図である。
【図８】撮影モード切替機構の構成を示す分解斜視図である。
【図９】撮影モード切替機構の日中シンクロ撮影モードを示す説明図である。
【図１０】撮影モード切替機構の夜間シンクロ撮影モードを示す説明図である。
【図１１】絞り及びシャッタ速度切替機構の日中シンクロ撮影モードと夜間シンクロ撮影モードとの中間状態を示す説明図である。
【符号の説明】
２　レンズ付きフイルムユニット
８　撮影モード選択部
１５　操作部材
１９　減光部材
２５　撮影モード切替機構
４３　絞り切替板
４６　シャッタ速度切替レバー
５６　切替リング
６１　切替板
６８　減光レバー
７２　捩じりバネ
【図１】
2004085621.tif 000003
【図２】
2004085621.tif 000004
【図３】
2004085621.tif 000005
【図４】
2004085621.tif 000006
【図５】
2004085621.tif 000007
【図６】
2004085621.tif 000008
【図７】
2004085621.tif 000009
【図８】
2004085621.tif 000010
【図９】
2004085621.tif 000011
【図１０】
2004085621.tif 000012
【図１１】
2004085621.tif 000013